(57)【要約】【課題】定着器の温度制御を、演算によって求められた印字密度に応じて補正制御することにより、高密度画像の連続印字の場合でも、安定した定着を行う。【解決手段】画素カウンタ１０１ａと、用紙のサイズ検知部１０７と、１頁分の印字密度と温度補正値との関係を記憶している温度補正用データテーブルとを備え、ＣＰＵ１０２は、同一画像を複数枚連続印刷する場合、印刷枚数が、連続印刷時に定着器により安定した定着が確保できる所定枚数を超えている場合には、画素カウンタ１０１ａによって１枚目の印字画素をカウントし、そのカウント値とサイズ検知部１０７により検知された用紙サイズとから印字密度を演算し、演算した印字密度に基づき温度補正用データテーブルを参照して該当する温度補正値を抽出し、抽出した温度補正値を通常の制御温度値に加えた値を新たな制御温度値として定着器の温度制御を行うことにより、２枚目以降の印字を行う。【選択図】　図１
2004061926.tif 000002
【特許請求の範囲】
【請求項１】
トナー像が転写された用紙を通過させて加圧及び加熱することによりトナーを用紙に定着させる定着器と、この定着器の定着温度を制御する定着温度制御部とを備え、前記定着温度制御部は、予め設定された第１基準制御温度値に基づき、定着器の定着温度が前記第１基準制御温度値となるように温度制御を行うレーザプリンタにおいて、
印字画素をカウントする画素カウンタと、用紙のサイズを検知するサイズ検知部と、１頁分の印字密度と温度補正値とを予め対応させて記憶している温度補正用データテーブルとを備え、かつ、前記温度補正用データテーブルが用紙の種類に応じてそれぞれ用意されており、
複数部数でかつ１部が複数枚の画像を連続して印刷する場合において、
前記定着温度制御部は、前記部数が２部以上であり、かつ１部の頁数が連続印刷時に前記定着器により安定した定着が確保できる所定枚数を超えている場合には、前記画素カウンタによって１部目の全頁の印字画素をそれぞれカウントし、そのカウント値と前記サイズ検知部により検知された用紙サイズとからそれぞれの頁の印字密度を演算し、演算した印字密度のうち高密度の頁が連続して前記所定枚数以上有る場合には、印字開始時に予め設定された用紙の種類に応じて用いる温度補正用データベースを決定し、前記高密度頁の印字密度を平均した平均印字密度に基づき前記決定した温度補正用データテーブルを参照して該当する温度補正値を抽出し、抽出した温度補正値を前記第１基準制御温度値に加えた値を第２基準制御温度値とし、２部目以降の印字では、高密度頁の印字時には前記第２の基準制御温度値を用いて前記定着器の温度制御を行い、その他の頁では前記第１基準制御温度値を用いて前記定着器の温度制御を行うことにより、２部目以降の印字を行うことを特徴とするレーザプリンタ。
【請求項２】
トナー像が転写された用紙を通過させて加圧及び加熱することによりトナーを用紙に定着させる定着器と、この定着器の定着温度を制御する定着温度制御部とを備え、前記定着温度制御部は、予め設定された第１基準制御温度値に基づき、定着器の定着温度が前記第１基準制御温度値となるように温度制御を行う画像形成装置において、
印字画素をカウントする画素カウンタと、用紙のサイズを検知するサイズ検知部と、１頁分の印字密度と温度補正値とを予め対応させて記憶している温度補正用データテーブルとを備えており、
同一画像を連続して複数枚印刷する場合において、
前記定着温度制御部は、前記印刷枚数が、連続印刷時に前記定着器により安定した定着が確保できる所定枚数を超えている場合には、前記画素カウンタによって１枚目の印字画素をカウントし、そのカウント値と前記サイズ検知部により検知された用紙サイズとから印字密度を演算し、演算した印字密度に基づき前記温度補正用データテーブルを参照して該当する温度補正値を抽出し、抽出した温度補正値を前記第１基準制御温度値に加えた値を第２基準制御温度値として前記定着器の温度制御を行うことにより、２枚目以降の印字を行うことを特徴とする画像形成装置。
【請求項３】
前記温度補正用データテーブルが用紙の種類に応じてそれぞれ用意されており、前記定着温度制御部は、印字開始時に予め設定された用紙の種類に応じて用いる温度補正用データベースを決定することを特徴とする請求項２に記載の画像形成装置。
【請求項４】
トナー像が転写された用紙を通過させて加圧及び加熱することによりトナーを用紙に定着させる定着器と、この定着器の定着温度を制御する定着温度制御部とを備え、前記定着温度制御部は、予め設定された第１基準制御温度値に基づき、定着器の定着温度が前記第１基準制御温度値となるように温度制御を行う画像形成装置において、
印字画素をカウントする画素カウンタと、用紙のサイズを検知するサイズ検知部と、１頁分の印字密度と温度補正値とを予め対応させて記憶している温度補正用データテーブルとを備えており、
複数部数でかつ１部が複数枚の画像を連続して印刷する場合において、
前記定着温度制御部は、前記部数が２部以上であり、かつ１部の頁数が連続印刷時に前記定着器により安定した定着が確保できる所定枚数を超えている場合には、前記画素カウンタによって１部目の全頁の印字画素をそれぞれカウントし、そのカウント値と前記サイズ検知部により検知された用紙サイズとからそれぞれの頁の印字密度を演算し、演算した印字密度のうち高密度の頁が連続して前記所定枚数以上有る場合には、それら高密度頁の印字密度を平均した平均印字密度に基づき前記温度補正用データテーブルを参照して該当する温度補正値を抽出し、抽出した温度補正値を前記第１基準制御温度値に加えた値を第２基準制御温度値とし、２部目以降の印字では、高密度頁の印字時には前記第２の基準制御温度値を用いて前記定着器の温度制御を行い、その他の頁では前記第１基準制御温度値を用いて前記定着器の温度制御を行うことにより、２部目以降の印字を行うことを特徴とする画像形成装置。
【発明の詳細な説明】
【０００１】
【発明の属する技術分野】
本発明は、トナー像が転写された用紙を通過させて加圧及び加熱することによりトナーを用紙に定着させる定着器と、この定着器の定着温度を制御する定着温度制御部とを備え、前記定着温度制御部は、予め設定された基準制御温度値に基づき、定着器の定着温度が基準制御温度値となるように温度制御を行う画像形成装置及びレーザプリンタに関する。
【０００２】
【従来の技術】
一般的に、画像形成装置は、感光ドラムの表面に画像に対応したトナー像を形成し、この感光ドラム上のトナーを転写ローラにより用紙に転写した後、転写されたトナーを定着器で加圧及び加熱して用紙に定着させることにより、用紙の表面に画像を形成するようになっている。
【０００３】
通常、モノクロプリンタやモノクロ複写機等では、印刷される画像はテキスト中心の画像を想定し、その画像密度は数％（２〜４％）程度として、カートリッジの保証枚数をはじめ各システムが設計されている。定着器においても同様に、数％の画像密度の用紙を安定して定着するように制御温度が設計されている。そのため、高密度の画像を連続して印刷した場合には、定着器の熱量が不足して、定着不良が発生するといった問題があった。
【０００４】
そこで、このような高密度の画像に対応するため、従来は、定着器の熱ローラの肉厚をアップしたり、圧力をアップしたりして対応していた。また、定着器の制御温度を元々高めに設定しておくことで対応していた。
【０００５】
しかしながら、熱ローラの肉厚をアップした場合には、コストアップにつながるといった問題があった。また、肉厚をアップすると、その分熱伝導が遅くなり、定着器の温度制御に遅延が生じるといった問題もあった。
また、圧力をアップするためには、モータのトルクを上げる必要があり、これもコストアップにつながるといった問題があった。
【０００６】
さらに、定着器の制御温度を元々高めに設定しておいた場合、低密度画像を印字したときや、薄い用紙に印字したときに、熱で用紙がカールし、ジャム（紙詰まり）が発生する可能性があるといった問題があった。
【０００７】
一方、このような肉厚アップや圧力アップ、制御温度の高めの設定といった方法とは別に、用紙サイズや印字密度に応じて定着器の表面温度を制御することで定着不良を防止する印刷装置が提案されている（特開平１１−２１２３９４号公報）。
【０００８】
この印刷装置は、トナー供給モータの動作を監視することにより画像密度を想定し、制御温度にフィードバックすることで安定した定着状態を得るようになっている。例えば、１５インチ幅用紙で標準である３％の印字密度で印字を行うと、１頁あたりのトナー消費量が６０ｍｇとなり、３００ｍｇ消費するごとにトナー補給を行うとすると、５０頁に１回トナー供給モータを駆動することになる。そのため、上記の印刷装置では、このトナー供給モータの駆動間隔から印刷頁数を割り出し、その頁数とトナー消費量とから１頁の印字密度を演算するようになっている。
【０００９】
【発明が解決しようとする課題】
しかしながら、トナーは現像機内での撹拌による帯電量が温度や湿度の影響を受け易いため、トナー供給モータの動作もまた温度や湿度の影響を受け易く、かつ、時間的な遅延も有している。そのため、上記従来の印刷装置のように、トナー供給モータの駆動間隔に基づいて正確な印字密度を演算することは難しく、充分な性能を確保することができないといった問題があった。
【００１０】
本発明は係る問題点を解決すべく創案されたもので、その目的は、定着器の温度制御を、正確な演算によって求められた印字密度に応じて補正制御することにより、高密度の画像が連続して印字された場合でも、安定した定着を行うことのできる画像形成装置及びレーザプリンタを提供することにある。
【００１１】
【課題を解決するための手段】
本発明の画像形成装置及びレーザプリンタは、トナー像が転写された用紙を通過させて加圧及び加熱することによりトナーを用紙に定着させる定着器と、この定着器の定着温度を制御する定着温度制御部とを備え、前記定着温度制御部は、予め設定された第１基準制御温度値に基づき、定着器の定着温度が前記第１基準制御温度値となるように温度制御を行うようになっている。また、印字画素をカウントする画素カウンタと、用紙のサイズを検知するサイズ検知部と、１頁分の印字密度と温度補正値とを予め対応させて記憶している温度補正用データテーブルとをさらに備え、かつ、前記温度補正用データテーブルが用紙の種類に応じてそれぞれ用意されている。
【００１２】
このような構成において、同一画像を連続して複数枚印刷する場合、前記定着温度制御部は、以下に示す第１の印字動作を行う。
【００１３】
すなわち、前記印刷枚数が、連続印刷時に前記定着器により安定した定着が確保できる所定枚数（例えば３枚）を超えている場合には、前記画素カウンタによって１枚目の印字画素をカウントし、そのカウント値とサイズ検知部により検知された用紙サイズとから印字密度を演算する。そして、印字開始時に予め設定された用紙の種類に応じて用いる温度補正用データベースを決定し、演算した印字密度に基づき前記決定した温度補正用データテーブルを参照して該当する温度補正値を抽出する。そして、抽出した温度補正値を前記第１基準制御温度値に加えた値を第２基準制御温度値として前記定着器の温度制御を行うことにより、２枚目以降の印字を行う。
【００１４】
一方、複数部数でかつ１部が複数枚の画像を連続して印刷する場合、前記定着温度制御部は、以下に示す第２の印字動作を行う。
【００１５】
すなわち、前記部数が２部以上であり、かつ１部の頁数が連続印刷時に前記定着器により安定した定着が確保できる所定枚数（例えば３枚）を超えている場合には、前記画素カウンタによって１部目の全頁の印字画素をそれぞれカウントし、そのカウント値とサイズ検知部により検知された用紙サイズとからそれぞれの頁の印字密度を演算する。そして、演算した印字密度のうち高密度の頁が連続して前記所定枚数以上有る場合には、まず、印字開始時に予め設定された用紙の種類に応じて用いる温度補正用データベースを決定し、次に、前記高密度頁の印字密度を平均した平均印字密度に基づき前記決定した温度補正用データテーブルを参照して該当する温度補正値を抽出し、抽出した温度補正値を前記第１基準制御温度値に加えた値を第２基準制御温度値とする。そして、２部目以降の印字では、高密度頁の印字時には前記第２の基準制御温度値を用いて前記定着器の温度制御を行い、その他の頁では前記第１基準制御温度値を用いて前記定着器の温度制御を行うことにより、２部目以降の印字を行う。
【００１６】
このように、本発明によれば、画素カウンタによって１頁分の印字密度を正確に演算できるとともに、この印字濃度と用紙の種類ごとに予め用意されている温度補正用テーブルとを用いて定着器の温度制御補正をかけることにより、高密度の画像を連続して印字する場合におもいても、過不足の無い熱量を供給でき、用紙に転写されたトナーの安定した定着を行うことができる。
【００１７】
【発明の実施の形態】
以下、本発明の実施の形態について、図面を参照して説明する。
図１は、本発明の画像形成装置である例えばレーザプリンタの主要部の構成を示す機能ブロック図である。
【００１８】
なお、機構的な構成については従来周知の構成であるので図示を省略するが、ここで再度簡単に説明すると、感光ドラムの表面に画像に対応したトナー像を形成し、この感光ドラム上のトナーを転写ローラにより用紙に転写した後、転写されたトナーを定着器で加圧及び加熱して用紙に定着させることにより、用紙の表面に画像を形成するようになっている。
【００１９】
このような機構を有するレーザプリンタ１は、例えばパソコン２から供給される印字データに基づいて印字動作を行うシステムとなっている。そのため、パソコン２とレーザプリンタ１とは、双方向通信が可能な通信ケーブル３を介して接続されている。
【００２０】
レーザプリンタ１は、プリンタ専用に構成された論理回路ＩＣであるＡＳＩＣ１０１と、これを制御するＣＰＵ１０２とを備えている。ＣＰＵ１０２には、印字動作を実行するプログラムや後述する温度補正用データテーブル等が格納されたＲＯＭ１０３、及び各種データを記憶するとともに印字動作時にはワークエリアとして働くＲＡＭ１０４がそれぞれ接続されている。
【００２１】
ＡＳＩＣ１０１には、電源キーや印字開始キー等のキー操作を検出するキーセンサ１０５の出力、定着器の表面温度を検出するサーミスタ等からなる温度センサ１０６の出力、及び装〓された用紙のサイズを検知するサイズ検知部１０７の出力がそれぞれ導かれている。また、ＡＳＩＣ１０１には、定着器の内部に設けられたヒータをオン、オフ制御して熱ローラの熱量を所定の熱量に保つためのヒータ駆動部１０８が接続されている。また、ＡＳＩＣ１０１には、パソコン２からの印字データに基づいて印字画素をカウントする画素カウンタ１０１ａの領域が設けられている。ＡＳＩＣ１０１は、ＣＰＵ１０２からの制御により、ヒータ駆動部１０８を駆動制御するようになっている。すなわち、請求項にいう「定着温度制御部は、本実施の形態ではＣＰＵ１０２とＡＳＩＣ１０１とによって実現されている。
【００２２】
なお、この他にも、実際には感熱ドラムや転写ローラを制御する制御部や、給紙動作及び排紙動作を制御する制御部などが設けられているが、これらは本発明の要部ではないので、省略している。
【００２３】
図２は、ＲＯＭ１０３に格納されている温度補正用データテーブルの構成例を示している。
【００２４】
この温度補正用データテーブルは、１頁分の印字密度と温度補正値との対応関係を示すテーブルとなっている。本実施の形態では、このテーブルが普通紙、厚紙、はがき、封筒の４種類について用意されている。
【００２５】
次に、上記構成のレーザプリンタによる印字動作時の制御について、図３ないし図５に示すフローチャートを参照して説明する。なお、図３は全体的な処理の流れを示し、図４は第１の印字動作の処理の流れを示し、図５は第２の印字動作の処理の流れを示している。
【００２６】
ただし、本実施の形態では、定着器は、高密度の画像であっても、連続３枚までは予め熱ローラに蓄積している熱量で安定した定着が確保できる仕様になっているものとする。すなわち、請求項にいう「所定枚数」は、本実施の形態では３枚となっている。
【００２７】
パソコン２から印字指示が送られてくると（ステップＳ１でＹｅｓと判断されると）、ＣＰＵ１０２は、パソコン２から送られてくる印刷部数の情報に基づいて、今回の印刷部数Ｍが２部以上であるか否かを判断する（ステップＳ２）。その結果、２部以上である場合（ステップＳ２でＹｅｓと判断された場合）には、ステップＳ３に動作を進めて第２の印字動作を実行することになる。
【００２８】
一方、印刷部数Ｍが１部である場合（ステップＳ２でＮｏと判断された場合）には、次に、印刷枚数ｎが１枚（すなわち、頁数が１頁）であるか否かを判断し（ステップＳ４）、１枚である場合（ステップＳ４でＮｏと判断された場合）には、結局１枚のみの印字動作であるため、ステップＳ７に動作を進めて通常の印字動作を実行する。
【００２９】
一方、印刷枚数ｎが２枚以上（すなわち、頁数が２頁以上）である場合（ステップＳ４でＹｅｓと判断された場合）には、次に、印刷部数Ｍが４部以上であるか否かを確認する（ステップＳ５）。その結果、３部以下である場合（ステップＳ５でＮｏと判断された場合には、ステップＳ７に動作を進めて通常の印字動作を実行する。すなわち、この場合は、最大で１部２頁の印刷を３部することになり、６枚の印字を連続して行うことになるが、例えば１頁目の印字密度が低く、２頁目の印字密度が高い場合には、１頁ごとに温度補正を行っても、熱ローラに伝わる温度遅延等の関係でこのような１頁ごとの細かい制御は実質的に難しい。逆に、このような細かい制御を行った結果、温度遅延によって定着が安定しない場合も考えられるため、この場合には、印字密度の如何に係わらず従来通り通常の印字動作を実行する。
【００３０】
一方、印刷部数Ｍが４部以上である場合（ステップＳ５でＹｅｓと判断された場合）には、ステップＳ６に動作を進めて第１の印字動作を実行することになる。
【００３１】
（１）ステップＳ７の通常の印字動作
通所の印字動作の場合、ＣＰＵ１０２は、予め内部に設定された第１基準制御温度値（例えば、１８０℃等）と、温度センサ１０６の検知温度とに基づき、定着器に内蔵されているヒータをオン、オフ制御して、熱ローラの表面温度が１８０℃となるように温度制御を行う。この場合、画素カウンタ１０１ａによるカウント値は無視される。すなわち、本実施の形態では、画素カウンタ１０１ａは、定着器の温度制御のためだけに使用されるものではなく、従来よりインクカートリッジの交換の目安をユーザに知らせるために、カートリッジ交換時から印字したドットの総数をカウントするようになっており、このドット総数のカウンタも兼用しているからである。
【００３２】
（２）ステップＳ６の第１の印字動作
１頁分の同一画像を連続して４枚以上印刷する場合、ＣＰＵ１０２は、１枚目の印字を開始すると（ステップＳ６−１でＹｅｓと判断されると）、画素カウンタ１０１ａによって１枚目の印字画素のカウントを開始する（ステップＳ６−２）。そして、１枚目の印字を終了すると（ステップＳ６−３でＹｅｓと判断されると）、印字画素のカウントを終了し（ステップＳ６−４）、次に、そのカウント値と、サイズ検知部１０７によって検知された用紙サイズとから印字密度を演算し、その印字密度のデータを例えばＲＡＭ１０４に保存する（ステップＳ６−５）。
【００３３】
次に、ＣＰＵ１０２は、演算した印字密度に基づき、図２に示す温度補正用データテーブルを参照して、該当する温度補正値を抽出する（ステップＳ６−６）。この際、ＣＰＵ１０２では、印字開始時にパソコン２から送られてきた用紙の種類情報に基づき、指定された種類の用紙の温度補正用データテーブルから該当する温度補正値を抽出する。例えば、用紙の種類情報が普通紙であり、演算した印字密度が３５％であった場合には、図２に示す温度補正用データテーブルから温度補正値として２℃を抽出する。
【００３４】
そして、第１基準制御温度値（１８０℃）に温度補正値（２℃）を足した１８２℃を第２基準制御温度値に設定して定着器の温度制御を行い（ステップＳ６−７）、２枚目以降の印字を行う（ステップＳ６−８）。これにより、印字密度の高い画像を連続して印字した場合でも、定着器の制御温度が通常より２℃高めに設定されているので、安定した定着を行うことができる。
【００３５】
この後、図示しないペーパセンサにより最後の用紙が排紙されると（ステップＳ６−９）、ＣＰＵ１０２は、定着器の制御温度値を、第２基準制御温度値（１８２℃）から再び第１基準制御温度値（１８０℃）に戻して（ステップＳ６−１０）　、印字動作を終了する。
【００３６】
（３）ステップＳ３の第２の印字動作
印刷部数が２部以上である場合、ＣＰＵ１０２は、１部目の印字を開始し（ステップＳ３−１）、画素カウンタ１０１ａによって１部目の全頁の印字画素のカウントを頁ごとに開始する。
【００３７】
すなわち、１頁目の印字を開始するとともに画素カウンタ１０１ａによるカウントを開始する（ステップＳ３−２）。そして、１頁目の印字を終了すると（ステップＳ３−３でＹｅｓと判断されると）、印字画素のカウントを一旦終了し、次にそのカウント値と、サイズ検知部１０７によって検知された用紙サイズとから１頁目の印字密度を演算し、その印字密度のデータを例えばＲＡＭ１０４に保存する（ステップＳ３−４）。
【００３８】
この後、再びステップＳ３−２に戻って、２頁目の印字を開始する。そして、２頁目の印字を終了すると（ステップＳ３−３でＹｅｓと判断されると）、印字画素のカウントを一旦終了し、次にそのカウント値と、サイズ検知部１０７によって検知された用紙サイズとから２頁目の印字密度を演算し、その印字密度のデータを例えばＲＡＭ１０４に保存する（ステップＳ３−４）。
【００３９】
ＣＰＵ１０２は、このようなステップＳ３−２〜ステップＳ３−４の処理を、１部目の全頁が終了するまで繰り返し、１部目の全頁を終了すると（ステップＳ３−５でＹｅｓと判断されると）、印字画素のカウントを終了する（ステップＳ３−６）。
【００４０】
次に、ＣＰＵ１０２は、この時点で、１部目の頁数が４頁未満であるか否かを確認し（ステップＳ３−７）、４頁未満である場合には、高密度の画像頁を連続して３頁以上印字することはないので、この場合にはステップＳ７の通常の印字動作に移行する。
【００４１】
一方、１部目の頁数が４頁以上である場合（ステップＳ３−７でＹｅｓと判断された場合）には、次に、ＲＡＭ１０４に保存されている各頁の印字密度データを参照して、１部目の印字枚数の中で、温度補正を必要とする高密度画像の頁が４頁以上連続しているか否かを確認する（ステップＳ３−８）。
【００４２】
その結果、温度補正を必要とする高密度画像の頁が４頁以上連続して無い場合（ステップＳ３−８でＮｏと判断された場合）には、ステップＳ３−９に動作を進め、２部目以降も通常の温度制御、すなわち第１基準制御温度（１８０℃）に基づいて定着器の温度制御を行う。そして、図示しないペーパセンサにより最終部の最後の頁の印字用紙が排紙されると（ステップＳ２−１０でＹｅｓと判断されると）、印字動作を終了する。
【００４３】
一方、温度補正を必要とする高密度画像の頁が４頁以上連続して有る場合（ステップＳ３−８でＹｅｓと判断された場合）には、ステップＳ３−１１に動作を進め、演算した高密度画像の印字密度に基づき、図２に示す温度補正用データテーブルを参照して、該当する温度補正値を抽出する。
【００４４】
この際、ＣＰＵ１０２では、印字開始時にパソコン２から送られてきた用紙の種類情報に基づき、指定された種類の用紙の温度補正用データテーブルから該当する温度補正値を抽出する。例えば、用紙の種類情報が厚紙であり、演算した印字密度が５５％であった場合には、図２に示す温度補正用データテーブルから温度補正値として５℃を抽出する。
【００４５】
ここで、演算した高密度画像の各頁の印字密度にばらつきがある場合には、例えば各頁の印字密度の平均値を求め、その平均印字密度に基づいて温度補正値を抽出してもよい。例えば、高密度画像の最初の頁の印字密度が４０％、２頁目の印字密度が６０％、３頁目の印字密度が３０％、４頁目の印字密度が７０％であった場合には、平均印字密度として５０％［＝（４０＋６０＋３０＋７０）÷４］が得られるので、この場合は厚紙の５０％の温度補正値である４℃を抽出する。
【００４６】
この後、ＣＰＵ１０２は、２部目以降の印字を開始する（ステップＳ３−１２）。すなわち、高密度画像が連続する頁を印字するときには、制御温度を、第１基準制御温度値（１８０℃）に抽出した温度補正値（４℃）を足した第２基準制御温度値（１８４℃）に設定して定着器の温度制御を行い、これ以外の頁を印字するときには、制御温度を、第１基準制御温度値（１８０℃）に設定して定着器の温度制御を行う（ステップＳ３−１３）。
【００４７】
これにより、印字密度の高い画像を連続して印字した場合でも、定着器の制御温度が通常より４℃高めに設定されているので、安定した定着を行うことができる。
【００４８】
この後、図示しないペーパセンサにより最終部の最後の頁の印字用紙が排紙されると（ステップＳ３−１４でＹｅｓと判断されると）、ＣＰＵ１０２は、定着器の制御温度値を、第２基準制御温度値（１８４℃）から再び第１基準制御温度値（１８０℃）に戻して（ステップＳ３−１５）　、印字動作を終了する。
【００４９】
【発明の効果】
このように、本発明によれば、画素カウンタによって１頁分の印字密度を正確に演算できるとともに、この印字密度と用紙の種類ごとに予め用意されている温度補正用テーブルとを用いて定着器の温度制御補正をかけることにより、高密度の画像を連続して印字する場合におもいても、過不足の無い熱量を供給でき、用紙に転写されたトナーの安定した定着を行うことができる。また、機内温度の上昇による各部への弊害を抑制できるとともに、消費電力量も必要最小限の上昇に抑えることができる。
【図面の簡単な説明】
【図１】本発明の画像形成装置である例えばレーザプリンタの主要部の構成を示す機能ブロック図である。
【図２】ＲＯＭに格納されている温度補正用データテーブルの構成例を示す説明図である。
【図３】本発明に係わるレーザプリンタの印字動作時の全体的な処理の流れを示すフローチャートである。
【図４】第１の印字動作の処理の流れを示すフローチャートである。
【図５】第２の印字動作の処理の流れを示すフローチャートである。
【符号の説明】
１　レーザプリンタ
２　パソコン
３　通信ケーブル
１０１　ＡＳＩＣ
１０１ａ　画素カウンタ
１０２　ＣＰＵ
１０３　ＲＯＭ
１０４　ＲＡＭ
１０５　キーセンサ
１０６　温度センサ
１０７　サイズ検知部
１０８　ヒータ駆動部
【図１】
2004061926.tif 000003
【図２】
2004061926.tif 000004
【図３】
2004061926.tif 000005
【図４】
2004061926.tif 000006
【図５】
2004061926.tif 000007